(57)【要約】    【課題】  誤ってズボンの裾を足の踵と靴の踵部との間で踏むおそれのないようにした履物を提供する。    【解決手段】  履物底部(11)と履物底部に取付けられた履物甲部(12)とを少なくとも備えてなる履物において、履物底部の後側面にズボンの裾(40)を後方に押し出す突状部(20)を設ける。履物は履物甲部に履物踵部(13)を一体的に設けたものであってもよい。また、突状部は弾性を有する部材、例えばゴム、コイルばね、板ばね、棒状ばね等で形成されることができる。突状部の先端側は履物底部の側面や履物踵部の上端縁側に着脱可能に設けるのがよい。【選択図】  図１
2006055557.tif 000002
【特許請求の範囲】
【請求項１】
履物底部とこの履物底部に取付けられた履物甲部とを少なくとも備えてなる履物において、
上記履物底部の後側面にズボンの裾を後方に押し出す突状部を設けるようにしたことを特徴とする履物。
【請求項２】
上記履物甲部には履物踵部が一体的に設けられ、該履物踵部は上記履物底部に取付けられている請求項１記載の履物。
【請求項３】
履物底部とこの履物底部に取付けられた履物甲部及び履物踵部とを備えてなる履物において、
上記履物踵部の履物底部側の部位にズボンの裾を後方に押し出す突状部を設けるようにしたことを特徴とする履物。
【請求項４】
上記突状部が弾性を有する部材で形成されている請求項１又は３記載の履物。
【請求項５】
上記突状部の先端側が上記履物底部の側面に着脱可能に係止されるようになっている請求項１記載の履物。
【請求項６】
上記突状部の先端側が上記履物踵部の上端縁側の部位に着脱可能に係止されるようになっている請求項３記載の履物。
【発明の詳細な説明】
【技術分野】
【０００１】
本発明は履物に関し、特に誤ってズボンの裾を足の踵と靴の踵部との間で踏むおそれのないようにした履物に関する。
【背景技術】
【０００２】
作業現場では安全性を確保するために安全靴を履くことが求められる（例えば、特許文献１）。他方、高所作業等を行う場合には重い安全靴では移動し難いばかりでなく、作業もし難いことから、軽量の運動靴を履くことが多いが、作業等の状況によっては運動靴の踵部を踏んだ状態で作業等を行うことがある。
【特許文献１】実用新案登録第３０２６０６３号公報
【発明の開示】
【発明が解決しようとする課題】
【０００３】
しかし、運動靴の踵部を踏んで作業を行うと、ズボンの裾を誤って足の踵と靴の踵部との間で踏み、事故等の原因になるおそれがある。
【０００４】
本発明はかかる問題点に鑑み、靴の踵を踏んで作業を行っても誤ってズボンの裾を足の踵と靴の踵部との間で踏むおそれのないようにした履物を提供することを課題とする。
【課題を解決するための手段】
【０００５】
そこで、本発明に係る履物は、履物底部とこの履物底部に取付けられた履物甲部とを少なくとも備えてなる履物において、上記履物底部の後側面にズボンの裾を後方に押し出す突状部を設けるようにしたことを特徴とする。
【０００６】
本発明の特徴の１つは履物底部の後側面に突状部を設け、ズボンの裾を後方に押し出すようにした点にある。これにより、誤ってズボンの裾を靴の踵部で踏むおそれがなく、例えば運動靴を履いて高所作業を安全に行うことができる。
【０００７】
本発明に係る履物は少なくとも履物底部と履物甲部とを有していればよく、例えばスリッパ状の履物に適用することもできるが、踵部を有する運動靴状の履物に適用するとその効果が大きい。
【０００８】
即ち、履物甲部には履物踵部が一体的に設けられ、この履物踵部は履物底部に取付けられているのがよい。
【０００９】
また、運動靴状の履物の場合には履物踵部の履物底部側の部位に突状部を設けることもできる。
【００１０】
即ち、本発明に係る履物は履物底部とこの履物底部に取付けられた履物甲部及び履物踵部とを備えてなる履物において、上記履物踵部の履物底部側の部位にズボンの裾を後方に押し出す突状部を設けるようにしたことを特徴とする。
【００１１】
突状部はズボンの裾を後方に押し出すことができればどのようなものでもよいが、通常時に履物を履くのに邪魔にならないように弾性を有する部材、例えばゴム、コイルばね、棒状ばね、板ばね等で形成されているのが好ましい。
【００１２】
また、突状部は通常時に履物を履くのに邪魔にならないように、例えばフックや紐を設けて突状部の先端側を履物底部の側面あるいは履物踵部の上端縁側に着脱できるように構成するのがよい。
【００１３】
さらに、突状部はその基部を履物底部に固定してもよく、着脱可能に取付けるようにしてもよい。
【発明を実施するための最良の形態】
【００１４】
以下、本発明を図面に示す具体例に基づいて詳細に説明する。図１及び図２は本発明に係る履物の好ましい実施形態を示す。図において、運動靴１０は靴底（履物底部）１１の外縁に靴甲部（履物甲部）１２及び靴踵部１３を固着して構成され、靴甲部１２には左右の羽根１４が形成され、左右の羽根１４の間には靴べろ１５が設けられている。
【００１５】
また、左右の羽根１４には複数の鳩目穴１６が長手方向にほぼ等しい間隔で並べて形成され、鳩目穴１６には最下段から最上段に向けて靴紐１７が適切な方法、例えばシングル、パラレル、オーバーラップ、アンダーラップ等の方法によって通されている。
【００１６】
また、靴底１１の後側面にはゴム製の突状部２０の基部が接着剤等で固着され、突状部２０は靴踵部１３の上端縁に達しない程度の長さ、例えば３ｃｍ〜５ｃｍ程度に設定され、又靴踵部１３には紐３０の両端部が固着され、この紐３０には突状部２０の先端側部分が抜き差しできるように挿通されている。
【００１７】
何らかの理由で運動靴１０の靴踵部１３を踏んで高所作業を行う場合、図２に示されるように、突状部２０を紐３０から外して斜め後方に突出させる。すると、ズボンの裾４０は突状部２０によって後方に押し出され、足の踵５０との間に一定の距離が保たれるので、誤ってズボンの裾４０を足の踵５０と靴踵部１３との間に踏むおそれがなく、例えば高所作業を安全に行うことができる。
【００１８】
図３は第２の実施形態を示し、図において図１及び図２と同一符号は同一又は相当部分を示す。本例では靴底１１の後側方の側面に紐３０を設け、突状部２０を靴底１１に沿って側方に折り曲げて着脱できるようにしている。
【００１９】
なお、上記実施形態では運動靴の場合について説明したが、スリッパ状の履物の場合にも同様に適用できる。但し、この場合に突状部２０の先端側は図３に示されるように履物底部の後側方の側面に紐３０を設けるのが好ましい。また、突状部２０は固着するのではなく、例えば履物底部の側面に嵌入穴を設けて抜差し可能に差し込んで取付けるようにしてもよい。
【００２０】
また、突状部２０は単に棒状としてもよいが、デザイン性をアップさせるために、突状部２０の先端に例えば十二支等の動物の顔やマスコットを上方及び／又は後方から見えるように取付けるようにしてもよく、さらには顔を付ける場合には目や蓄光塗料を塗布して目が光るように構成することもできる。
【００２１】
さらに、突状部の基部は接着剤等で履物に固着したが、履物底部に小径のパイプを埋設し、このパイプに突状部の基部を押し込んで固定しあるいは着脱可能に取付けるようにすることもできる。
【図面の簡単な説明】
【００２２】
【図１】本発明に係る履物の好ましい実施形態を示す外観図である。
【図２】上記実施形態の使用方法を説明するための図である。
【図３】第２の実施形態を示す外観図である。
【符号の説明】
【００２３】
１０      運動靴（履物）
１１      靴底
１２      靴甲部（履物甲部）
１３      靴踵部
２０      突状部
３０      紐
【図１】
2006055557.tif 000003
【図２】
2006055557.tif 000004
【図３】
2006055557.tif 000005